(57)【要約】【課題】ＬＣＤを備えた洗濯機の使用案内方法において、ユーザーが電源を印加し、前記ＬＣＤにディスプレイされるメニューで洗濯案内メニューを選択すると、少なくとも一つ以上の洗濯工程を前記ＬＣＤにディスプレイする段階と、前記ＬＣＤにディスプレイされる洗濯工程でユーザーが希望する洗濯工程を選択する段階と、前記選択された洗濯工程の進行のための案内メッセージをディスプレイする段階とを含めてなることを特徴とする。
2004503309.tif 000002
【特許請求の範囲】
【請求項１】
洗濯水を貯蔵するために水平又は垂直に設けられた貯水槽と、
前記貯水槽内に回転可能に設けられた内槽と、
前記内槽を回転させるモータと、
多様な洗濯工程、ユーザーが選択した洗濯工程の進行のための案内メッセージ及び、各洗濯工程の進行経過を表示する表示窓と、
前記表示窓に表示される案内メッセージによってユーザーが多様な洗濯工程又は洗濯コースを行えるようにする洗濯案内メニューを貯蔵するためのマイコンとを含めて構成されることを特徴とする洗濯機。
【請求項２】
ＬＣＤを備えた洗濯機の使用案内方法において、
ユーザーが電源を印加し、前記ＬＣＤにディスプレイされるメニューで洗濯案内メニューを選択すると、少なくとも一つ以上の洗濯工程を前記ＬＣＤにディスプレイする段階と、
前記ＬＣＤにディスプレイされる洗濯工程でユーザーが希望する洗濯工程を選択する段階と、
前記選択された洗濯工程の進行のための案内メッセージをディスプレイする段階とを含めてなることを特徴とする洗濯機の使用案内方法。
【請求項３】
前記洗濯案内メニューの選択により表示される洗濯工程は、
コース通り洗濯実行、洗濯だけ実行、濯ぎだけ実行、脱水だけ実行から構成され、ユーザーが選択した洗濯工程による洗濯案内メッセージをディスプレイする段階であることを特徴とする請求項２記載の洗濯機の使用案内方法。
【請求項４】
ユーザーがコース通り洗濯実行を選択すると、
コース選択のための案内メッセージをディスプレイした後、衣類の質によって少なくとも一つ以上の洗濯コースをディスプレイする段階と、
前記ディスプレイされる洗濯コースで希望の洗濯コースを選択する段階とを更に含めてなることを特徴とする請求項３記載の洗濯機の使用案内方法。
【請求項５】
ユーザーが洗濯だけ実行を選択すると、
洗濯時間の選択のための案内メッセージをディスプレイする段階と、
ユーザーが洗濯時間を選択する段階とを更に含めてなることを特徴とする請求項３記載の洗濯機の使用案内方法。
【請求項６】
ユーザーが濯ぎだけ実行を選択すると、
濯ぎ回数の選択のための案内メッセージをディスプレイする段階と、
ユーザーが希望の濯ぎ回数を選択する段階とを更に含めてなることを特徴とする請求項３記載の洗濯機の使用案内方法。
【請求項７】
ユーザーが脱水だけ実行を選択すると、
脱水時間の選択のための案内メッセージをディスプレイする段階と、
ユーザーが希望の脱水時間を選択する段階とを含めてなることを特徴とする請求項３記載の洗濯機の使用案内方法。
【請求項８】
前記洗濯案内メニューの選択により表示される洗濯工程に濯ぎ＋脱水だけ実行を更に構成し、
ユーザーが濯ぎ＋脱水だけ実行を選択すると、
濯ぎ回数の選択のための案内メッセージをディスプレイする段階と、
ユーザーが希望する濯ぎ回数を選択する段階と、
前記選択された濯ぎ回数及び、脱水時間の選択のための案内メッセージをディスプレイする段階と、
ユーザーが希望する脱水時間を選択する段階とを更に含めてなることを特徴とする請求項３記載の洗濯機の使用案内方法。
【請求項９】
前記洗濯案内メニューの選択により表示される洗濯工程に予約洗濯実行を更に備え、
ユーザーが予約洗濯実行を選択すると、
コース選択のための案内メッセージをディスプレイする段階と、
ユーザーが前記希望の洗濯コースを選択する段階と、
前記選択された洗濯コース及び、予約時間の選択のための案内メッセージをディスプレイする段階と、
ユーザーが希望の予約時間を選択する段階とを更に含めてなることを特徴とする請求項３記載の洗濯機の使用案内方法。
【請求項１０】
前記洗濯案内メニューの選択により表示される洗濯工程に浸けおき洗濯実行を更に備え、
ユーザーが浸けおき洗濯実行を選択すると、
浸けおきコースの選択のための案内メッセージをディスプレイする段階と、
ユーザーが浸けおきコースを選択する段階とを更に含めてなることを特徴とする請求項３記載の洗濯機の使用案内方法。
【請求項１１】
前記洗濯案内メニューの選択により表示される洗濯工程に給水濯ぎ実行を更に備え、
ユーザーが給水濯ぎ実行を選択すると、
コース選択のための案内メッセージをディスプレイする段階と、
ユーザーが希望のコースを選択する段階と、
前記選択されたコース及び、水位選択のための案内メッセージをディスプレイする段階と、
前記選択されたコース及び水位と、給水濯ぎ回数、及び濯ぎ回数の選択のための案内メッセージをディスプレイする段階と、
前記選択されたコース、水位、給水濯ぎ回数、濯ぎ回数及び、動作ボタンの入力メッセージをディスプレイする段階とからなることを特徴とする請求項３記載の洗濯機の使用案内方法。
【請求項１２】
ユーザーが希望する洗濯条件が設定されると、ユーザーが設定した洗濯条件の内容をディスプレイする段階を更に含めてなることを特徴とする請求項２乃至請求項１１のうち何れか一項に記載の洗濯機の使用案内方法。
【請求項１３】
ユーザーが希望する洗濯条件が設定されると、その設定条件に応じて次の工程が進行されるように動作信号を印加しなさいという案内メッセージをディスプレイする段階を更に含めてなることを特徴とする請求項２乃至請求項１１のうち何れか一項に記載の洗濯機の使用案内方法。
【請求項１４】
ユーザーが希望する洗濯コース及び洗濯条件を設定するためのキー入力部と、洗濯機の動作アルゴリズム、洗濯コース及び各洗濯コースによる案内メッセージを貯蔵するための貯蔵部と、前記キー入力部を介して設定される洗濯コースによる案内メッセージ、又は洗濯機の動作状態などをディスプレイするためのＬＣＤを備えた洗濯機において、
洗濯、濯ぎ及び脱水の全工程の進行及び、全工程中の一部の工程の進行をディスプレイする段階と、
ユーザーが全工程の進行を選択すると、少なくとも一つ以上の洗濯コースをディスプレイする段階と、
前記表示される洗濯コースでユーザーが洗濯コースを選択すると、選択された洗濯コースの進行順序による洗濯、濯ぎ、脱水の進行のための条件設定画面をディスプレイする段階と、
前記条件設定画面でユーザーが希望する条件が設定され、ユーザーが動作スタート信号を入力すると、該当工程を実行する段階とを含めてなることを特徴とする洗濯機の使用案内方法。
【請求項１５】
前記工程の進行をディスプレイする段階は、
前記ＬＣＤに文字や絵を用いてディスプレイする段階であることを特徴とする請求項１４記載の洗濯機の使用案内方法。
【請求項１６】
ユーザーが一部の工程を選択すると、前記一部の工程の進行のための進行条件の設定画面をディスプレイする段階を更に含めてなることを特徴とする請求項１４記載の洗濯機の使用案内方法。
【請求項１７】
前記各段階の移動間には案内メッセージが前記ＬＣＤにディスプレイされることを特徴とする請求項１４記載の洗濯機の使用案内方法。
【発明の詳細な説明】
【０００１】
【発明の属する技術分野】
本発明は洗濯機に関し、特に、洗濯機及びその使用案内方法に関する。
【０００２】
【従来の技術】
一般に、洗濯機はモータの駆動力を通じて回転槽及びパルセータを回転させ、洗濯工程、濯ぎ工程、脱水工程などを行うものであって、回転槽の内部に洗濯水と洗濯物を共に投入した後、これらを攪拌させることによって洗濯物と洗濯水及び、回転槽の摩擦を用いて洗濯を行う装置である。
このような従来の洗濯機は洗濯工程、濯ぎ工程、脱水工程の回数及び実行時間などをユーザーが直接に選択してそれぞれ設定するか、各工程に従って既設定された一定の回数及び実行時間によって各工程を自動に行う。
【０００３】
以下、添付の図面を参照して従来の技術による洗濯機を説明する。
【０００４】
図１は従来の技術による洗濯機の構成を概略的に示すブロック図である。
従来の技術による洗濯機は、図１に示すように、ユーザーが希望する機能を選択するためのキー入力部１と、前記キー入力部１を介して選択された機能に従って洗濯機の工程を制御するシステムマイコン２と、前記システムマイコン２の制御信号に従って駆動するモータ３と、前記システムマイコン２の制御信号に従って給水バルブ、排水バルブなどの各種の負荷を駆動するその他の負荷駆動部４と、前記システムマイコン２の制御信号に従って、前記キー入力部１を介して選択された機能の動作状態又はエラー発生などを表示するディスプレイ部５とから構成されている。ここで、前記ディスプレイ部５は洗濯の残留時間を表示するための８８セグメントと、多数の発光ダイオード（ＬＥＤ）とから構成されている。
【０００５】
このように構成された従来の技術による洗濯機は、ユーザーが前記キー入力部１のキーを押して洗濯命令を入力すると、前記システムマイコン２は既設定された洗濯工程の順序に応じて前記モータ３及びその他の負荷駆動部４に制御信号を印加して、モータ３、給水バルブ（図示せず）、排水バルブ（図示せず）などを順次に駆動させ、洗濯を行う。
【０００６】
また、ユーザーが洗濯命令を入力すると、前記システムマイコン２はユーザーが選択した設定事項が前記ディスプレイ部５にディスプレイされるように制御信号を出力し、この際、前記ディスプレイ部５はシステムマイコン２の制御信号に従って洗濯コース別の洗濯、濯ぎ、脱水機能のそれぞれに対する動作時間及び洗濯残留時間などをディスプレイする。
【０００７】
【発明が解決しようとする課題】
しかしながら、従来の技術による洗濯機には次のような問題点があった。
第一に、ディスプレイ部に単純に８８セグメント及びＬＥＤを用いただけであったため、ユーザーに多様な案内メッセージを提供できなかった。
第二に、初心者が希望する洗濯条件を設定し、その設定した洗濯条件に従って洗濯を進行させようとする場合、コース別の洗濯条件の設定案内方法が提供されず、使用上不便であった。
【０００８】
【発明が解決しようとする課題】
そこで、本発明はこのような問題点を解決するためになされたもので、それぞれの洗濯工程による洗濯条件の設定方法及び設定条件をディスプレイさせ、ユーザーがこれを参照して、動作ボタンの入力時に設定の条件に従って該当工程を進行させ得るようにした洗濯機の使用案内方法を提供することにその目的がある。
【０００９】
【課題を解決するための手段】
上記目的を達成するための本発明による洗濯機は、洗濯水を貯蔵するために水平又は垂直に設けられた貯水槽と、前記貯水槽内に回転可能に設けられた内槽と、前記内槽を回転させるモータと、多様な洗濯工程、ユーザーが選択した洗濯工程の進行のための案内メッセージ及び、各洗濯工程の進行経過を表示する表示窓と、前記表示窓に表示される案内メッセージによってユーザーに、多様な洗濯工程又は洗濯コースを案内するようにする洗濯案内メニューを貯蔵するためのマイコンとを含めて構成されることを特徴とする。
【００１０】
上記目的を達成するための本発明による洗濯機の使用案内方法は、ＬＣＤを備えた洗濯機の使用案内方法において、ユーザーが電源を印加し、前記ＬＣＤにディスプレイされるメニューで洗濯案内メニューを選択すると、少なくとも一つ以上の洗濯工程を前記ＬＣＤにディスプレイする段階と、前記ＬＣＤにディスプレイされる洗濯工程でユーザーが希望する洗濯工程を選択する段階と、前記選択された洗濯工程の進行のための案内メッセージをディスプレイする段階とを含めてなることを特徴とする。
【００１１】
また、本発明による洗濯機の使用案内方法は、ユーザーが希望する洗濯コース及び洗濯条件を設定するためのキー入力部と、洗濯機の動作アルゴリズム、洗濯コース及び各洗濯コースによる案内メッセージを貯蔵するための貯蔵部と、前記キー入力部を介して設定される洗濯コースによる案内メッセージ、又は洗濯機の動作状態などをディスプレイするためのＬＣＤを備えた洗濯機において、
洗濯、濯ぎ及び脱水の全工程の進行及び、全工程中の一部の工程の進行を前記ＬＣＤにディスプレイする工程表示段階と、前記ＬＣＤにディスプレイされる工程でユーザーが全工程の進行を選択すると、少なくとも一つ以上の洗濯コースを前記ＬＣＤにディスプレイする段階と、前記ＬＣＤにディスプレイされる洗濯コースでユーザーが洗濯コースを選択すると、選択された洗濯コースの進行順序による洗濯、濯ぎ、脱水の進行のための条件設定画面をディスプレイする段階と、前記条件設定画面でユーザーが希望する条件が設定され、ユーザーが動作スタート信号を入力すると、該当工程を実行する段階とを含めてなることを特徴とする。
【００１２】
【発明の実施の形態】
以下、添付の図面を参照して本発明による洗濯機の使用案内方法についてより詳細に説明する。
【００１３】
図２は本発明による洗濯機の構成を示すブロック図であり、図３ａ乃至図３ｉは本発明による洗濯機の使用案内方法を示すフローチャートである。
【００１４】
本発明による洗濯機の構成は、図２に示すように、ＲＳ−２３２Ｃ通信規格に従って連結されたＰＣ１０とのデータ交換が可能であるようにデータの変調を行うためのインタフェース部２０と、ユーザーが希望する洗濯コース及び洗濯機能を選択するためのキー入力部３０と、洗濯コース及び各コースによる洗濯案内の情報を貯蔵するための貯蔵部４０と、前記キー入力部３０を介して選択される洗濯コース及び洗濯案内情報をディスプレイするためのＬＣＤ９０と、そのＬＣＤ９０にディスプレイされる洗濯案内の情報を参照して、ユーザーがキー入力部３０を介して設定する洗濯の条件に従って該当負荷が駆動するように制御信号を出力するシステムマイコン５０と、前記システムマイコン５０の制御信号に従って該当負荷の駆動を制御するドライブマイコン６０と、そのドライブマイコン６０の制御信号に従って駆動するモータ７０と、給水バルブ（図示せず）、排水バルブ（図示せず）などの各種の負荷を駆動するその他の負荷駆動部８０とから構成されている。
【００１５】
以下、このように構成された洗濯機の使用案内方法を図３ａ乃至図３ｉを参照して説明する。
【００１６】
まず、洗濯機の電源をオンにする（Ｓ１）。次いで、洗濯機に電源が印加されると、前記ＬＣＤ９０にディスプレイされるメニューで洗濯案内メニューを選択する（Ｓ２）。
前記洗濯案内メニューが選択されると、少なくとも一つの洗濯工程がディスプレイされる（Ｓ３）。この洗濯工程はコース案内通りの洗濯実行、洗濯だけ実行、濯ぎだけ実行、脱水だけ実行、濯ぎ＋脱水実行、予約洗濯実行、浸けおき洗濯実行、給水濯ぎ実行などである。
【００１７】
前記ディスプレイされる洗濯工程でユーザーが「コース案内通りに洗濯実行」を選択すると、「コースボタンを押して希望のコースを選択して下さい」という案内メッセージがディスプレイされる（Ｓ４−Ｓ５）。
次いで、ユーザーがコースボタンを押したかどうかを判断する（Ｓ６）。
その判断の結果（Ｓ６）、ユーザーが前記コースボタンを入力していなければエラーメッセージを出力し、前記段階（Ｓ５）にする（Ｓ７）。
一方、前記判断の結果（Ｓ６）、ユーザーが前記コースボタンを入力していれば、選択されたコース及び動作ボタンの入力メッセージをディスプレイする（Ｓ８）。
そして、ユーザーが動作ボタンを入力すると、洗濯→濯ぎ→脱水の順に工程を進行する（Ｓ９−Ｓ１２）。
【００１８】
もし、前記ディスプレイされる洗濯工程でユーザーが「洗濯だけ実行」を選択すると、「洗濯ボタンを押して希望の洗濯時間を選択して下さい（ランジェリー、ウール類は除外）」という案内メッセージをディスプレイする（Ｓ１３−Ｓ１４）。
次いで、ユーザーが洗濯ボタンを押したかどうかを判断する（Ｓ１５）。
その判断の結果（Ｓ１５）、ユーザーが洗濯ボタンを押していなければエラーメッセージを出力し、前記段階（Ｓ１４）に復帰する（Ｓ１６）。
一方、前記判断の結果（Ｓ１５）、ユーザーが洗濯ボタンを押していればユーザーが選択した洗濯時間及び動作ボタンの入力メッセージを出力する（Ｓ１７）。
次いで、動作ボタンが入力されると、ユーザーが設定した時間の間洗濯工程だけを行う（Ｓ１８−Ｓ１９）。
【００１９】
もし、前記ディスプレイされる洗濯案内メニューに当たる洗濯工程でユーザーが「濯ぎだけ実行」を選択すると、「濯ぎボタンを押して希望の濯ぎの回数を選択して下さい（ランジェリー、ウール類は除外）」という案内メッセージをディスプレイする（Ｓ２０−Ｓ２１）。
次いで、ユーザーが濯ぎボタンを押したかどうかを判断する（Ｓ２２）。
その判断の結果（Ｓ２２）、ユーザーが濯ぎボタンを押していなければエラーメッセージを出力し、前記段階（Ｓ２１）に復帰する（Ｓ２３）。
一方、前記判断の結果（Ｓ１９）、ユーザーが濯ぎボタンを押していれば、選択された濯ぎ回数及び動作ボタンの入力メッセージをディスプレイする（Ｓ２４）。そして、ユーザーが動作ボタンを入力すると、ユーザーが設定した濯ぎ回数に従って濯ぎ工程を行う（Ｓ２５−Ｓ２６）。
【００２０】
もし、前記ディスプレイされる洗濯案内メニューの洗濯工程でユーザーが「脱水だけ実行」を選択すると、「脱水ボタンを押して希望の脱水時間を選択して下さい（ランジェリー、ウール類は除外）」という案内メッセージをディスプレイする（Ｓ２７−Ｓ２８）。
次いで、ユーザーが脱水ボタンを押したかどうかを判断する（Ｓ２９）。
その判断の結果（Ｓ２４）、ユーザーが脱水ボタンを押していなければエラーメッセージを出力し、前記段階（Ｓ２８）に復帰する（Ｓ３０）。
一方、前記判断の結果（Ｓ２４）、ユーザーが脱水ボタンを押していれば、ユーザーが選択した脱水時間及び動作ボタンの入力メッセージをディスプレイする（Ｓ３１）。
そして、ユーザーが動作ボタンを入力すると、ユーザーが選択した脱水時間だけ脱水工程を行う（Ｓ３２−Ｓ３３）。
【００２１】
もし、前記ディスプレイされる洗濯案内メニューの洗濯工程でユーザーが「濯ぎ＋脱水実行」を選択すると、「濯ぎボタンを押して希望の濯ぎ回数を選択して下さい（ランジェリー、ウール類は除外）」という案内メッセージをディスプレイする（Ｓ３４−Ｓ３５）。
次いで、ユーザーが濯ぎボタンを押したかどうかを判断する（Ｓ３６）。
そして、ユーザーが濯ぎボタンを押していなければエラーメッセージを出力し、前記段階（Ｓ３５）に復帰する（Ｓ３７）。
一方、ユーザーが濯ぎボタンを押していれば、選択された濯ぎ回数及び、「脱水ボタンを押して希望の脱水時間を選択して下さい」という案内メッセージをディスプレイする（Ｓ３８）。
次いで、ユーザーが脱水ボタンを押したかどうかを判断する（Ｓ３９）。
その判断の結果（Ｓ３９）、ユーザーが脱水ボタンを押していなければエラーメッセージを出力し、前記段階（Ｓ３８）に復帰する（Ｓ４０）。
一方、前記判断の結果（Ｓ３９）、ユーザーが脱水ボタンを押していれば、選択された濯ぎ回数、脱水時間及び動作ボタンの入力メッセージをディスプレイする（Ｓ４１）。
そして、ユーザーが動作ボタンを入力すると、ユーザーが設定した濯ぎ回数だけ濯ぎ工程を行った後、設定した脱水時間だけ脱水工程を行ない終了する（Ｓ４２−Ｓ４４）。
【００２２】
もし、前記ディスプレイされる洗濯案内メニューの洗濯工程で予約洗濯実行を選択すると、「洗剤槽に洗剤を入れ、コースボタンを押して希望のコースを選択して下さい」という案内メッセージをディスプレイする（Ｓ４５−Ｓ４６）。
そして、ユーザーがコースボタンを押したかどうかを判断する（Ｓ４７）。
その判断の結果（Ｓ４７）、ユーザーがコースボタンを押していなければエラーメッセージを出力し、前記段階（Ｓ４６）に復帰する（Ｓ４８）。
一方、前記判断の結果（Ｓ４７）、ユーザーがコースボタンを押していれば、選択されたコース及び「予約ボタンを押して希望の予約時間を選択して下さい」という案内メッセージをディスプレイする（Ｓ４９）。
次いで、ユーザーが予約ボタンを押したかどうかを判断する（Ｓ５０）。
その判断の結果（Ｓ５０）、ユーザーが予約ボタンを押していなければエラーメッセージを出力し、前記段階（Ｓ４９）に復帰する（Ｓ５１）。
一方、前記判断の結果（Ｓ５０）、ユーザーが予約ボタンを押していれば、選択されたコース及び動作ボタンの入力メッセージをディスプレイする（Ｓ５２）。
そして、ユーザーが動作ボタンを入力していれば、ユーザーが設定した通りに予約待機実行の後、洗濯→濯ぎ→脱水工程を順次に行う（Ｓ５３−Ｓ５７）。
【００２３】
もし、前記ディスプレイされる洗濯案内メニュー洗濯工程でユーザーが「浸けおき洗濯実行」を選択すると、「コースボタンを押して浸けおきコースを選択して下さい」という案内メッセージをディスプレイする（Ｓ５８−Ｓ５９）。
次いで、ユーザーがコースボタンを押したかどうかを判断する（Ｓ６０）。
その判断の結果（Ｓ６０）、ユーザーがコースボタンを押していなければエラーメッセージを出力し、前記段階（Ｓ５９）に復帰する（Ｓ６１）。
一方、前記判断の結果（Ｓ６０）、ユーザーがコースボタンを押して浸けおきコースを選択していれば、浸けおきコースが選択されたというメッセージ及び動作ボタンの入力メッセージをディスプレイする（Ｓ６２）。
そして、ユーザーが動作ボタンを入力すると、布量を感知して該当布量だけ給水を行う（Ｓ６３−Ｓ６５）。
次いで、給水が完了すると、既設定時間だけ浸けおき工程を行った後、洗濯→濯ぎ→脱水工程を順次に行う（Ｓ６６−Ｓ６９）。
【００２４】
もし、前記ディスプレイされる洗濯案内メニューの洗濯工程でユーザーが「給水濯ぎ実行」を選択すると、「コースボタンを押して希望のコースを選択して下さい」という案内メッセージをディスプレイする（Ｓ７０−Ｓ７１）。
次いで、ユーザーがコースボタンを押したかどうかを判断する（Ｓ７２）。
その判断の結果（Ｓ７２）、ユーザーがコースボタンを押していなければエラーメッセージを出力し、前記段階（Ｓ７１）に復帰する（Ｓ７３）。
一方、前記判断の結果（Ｓ７２）、ユーザーがコースボタンを入力していれば、選択したコースを確認させ、「濯ぎボタンを押して給水濯ぎ及び濯ぎの回数を選択して下さい」という案内メッセージをディスプレイする（Ｓ７４）。
次いで、ユーザーが濯ぎボタンを入力したかどうかを判断する（Ｓ７５）。
ついで、前記判断の結果（Ｓ７５）、ユーザーが濯ぎボタンを押していなければエラーメッセージを出力し、前記段階（Ｓ７４）に復帰する（Ｓ７６）。
次いで、前記判断の結果（Ｓ７５）、ユーザーが濯ぎボタンを入力していれば、選択コース、水位、給水濯ぎ及び濯ぎの回数を表示し、動作ボタンの入力メッセージをディスプレイする（Ｓ７７）。
次いで、ユーザーが動作ボタンを入力すれば、設定条件に従って洗濯→給水濯ぎ→脱水工程を順次に行う（Ｓ７８−Ｓ８１）。
【００２５】
このように、本発明による洗濯案内に従って前記ＬＣＤ９０にディスプレイされる洗濯工程別の洗濯案内方法による実施形態を図４乃至図１１を参照してより詳細に説明する。
【００２６】
▲１▼コース案内通りに洗濯実行
前記ディスプレイされる洗濯工程で図４の（ａ）のように「▲１▼コース案内通りに洗濯実行」にカーソルを合わせた後、確認キーを入力すると、図４の（ｂ）のように、「コースボタンを押して希望のコースを選択して下さい」という案内メッセージがディスプレイされ、図４の（ｃ）のようにコース案内の画面がディスプレイされる。
例えば、ユーザーが図４の（ｃ）を参照して、コースボタンを押して標準コースを選択すると、図４の（ｄ）のように「１．標準コースが選択されました。２．動作ボタンを押して下さい」という案内メッセージをディスプレイする。そして、ユーザーが動作ボタンを入力すると、標準コースに従って洗濯工程が進行する。
【００２７】
▲１▼洗濯だけ実行
前記ディスプレイされる洗濯工程で図５の（ａ）のように「▲２▼洗濯だけ実行」にカーソルを合わせた後、確認キーを入力すると、図５の（ｂ）のように、「洗濯ボタンを押して希望の洗濯時間を選択して下さい（ランジェリー、ウール類は除外）」という案内メッセージがディスプレイされ、図５の（ｃ）のように洗濯時間を選択するための画面をディスプレイする。
例えば、ユーザーが図５の（ｃ）の画面を参照して３分を選択すると、図５の（ｄ）のように「１．洗濯３分が選択されました。２．動作ボタンを押して下さい」という案内メッセージをディスプレイする。そして、ユーザーが動作ボタンを入力すると、３分間洗濯工程が行われる。
【００２８】
▲１▼濯ぎだけ実行
前記ディスプレイされる洗濯工程で図６の（ａ）のように「▲３▼濯ぎだけ実行」にカーソルを合わせた後、確認キーを入力すると、図６の（ｂ）のように、「濯ぎボタンを押して希望の濯ぎ回数を選択して下さい（ランジェリー、ウール類は除外）」という案内メッセージをディスプレイし、図６の（ｃ）のような濯ぎ回数を選択するためのメニューをディスプレイする。
例えば、ユーザーが図６の（ｃ）の画面を参照して、濯ぎ回数を１回に選択すると、図６の（ｄ）のように「１．濯ぎ１回が選択されました。２．動作ボタンを押して下さい」という案内メッセージをディスプレイする。
次いで、ユーザーが動作ボタンを入力すると、設定された１回の濯ぎ工程を行う。
【００２９】
▲１▼脱水だけ実行
前記ディスプレイされる洗濯工程で図７の（ａ）のように「▲４▼脱水だけ実行」にカーソルを合わせた後、確認キーを入力すると、図７の（ｂ）のように、「脱水ボタンを押して希望の脱水時間を選択して下さい（ランジェリー、ウール類は除外）」という案内メッセージをディスプレイし、図７の（ｃ）のような脱水時間を選択するためのメニューをディスプレイする。
例えば、ユーザーが図７の（ｃ）を参照して脱水時間を３分に選択すると、図７の（ｄ）のように「１．脱水時間３分が選択されました。２．動作ボタンを押して下さい」という案内メッセージをディスプレイする。すると、ユーザーはこれを確認した後動作ボタンを入力し、動作ボタンが入力されると３分間脱水工程を行う。
【００３０】
▲１▼濯ぎ＋脱水だけ実行
前記ディスプレイされる洗濯工程で図８の（ａ）のように「▲５▼濯ぎ＋脱水だけ実行」にカーソルを合わせた後、確認キーを入力すると、図８の（ｂ）のように、「濯ぎボタンを押して希望の濯ぎ回数を選択して下さい（ランジェリー、ウール類は除外）」という案内メッセージをディスプレイし、図８の（ｃ）のような濯ぎ回数を選択するためのメニューをディスプレイする。
例えば、ユーザーが図８の（ｃ）を参照して濯ぎ回数を３回に選択すると、図８の（ｄ）のように「１．濯ぎ３回が選択されました。２．脱水ボタンを押して希望の脱水時間を選択して下さい」という案内メッセージをディスプレイし、図８の（ｅ）のように、脱水時間を選択するためのメニューをディスプレイする。
また、ユーザーが図８の（ｅ）を参照して脱水時間を３分に選択すると、図８の（ｆ）のように「１．濯ぎ３回が選択されました。２．脱水３分が選択されました。３．動作ボタンを押して下さい」という案内メッセージをディスプレイする。次いで、ユーザーが動作ボタンを入力すると、３回の濯ぎ工程を行った後、３分間の脱水工程を行う。
【００３１】
▲１▼予約洗濯実行
前記ディスプレイされる洗濯工程で図９の（ａ）のように「▲６▼予約洗濯実行」にカーソルを合わせた後、確認キーを入力すると、図９の（ｂ）のように、「洗剤槽に洗剤を入れ、コースボタンを押して希望のコースを選択して下さい」という案内メッセージがディスプレイされ、図９の（ｃ）のように、コースを選択するためのメニューをディスプレイする。
例えば、ユーザーが図９の（ｃ）を参照して強力コースを選択した場合、図９の（ｄ）のように「１．強力コースが選択されました。２．予約ボタンを押して希望の予約時間を選択して下さい」という案内メッセージをディスプレイし、図９の（ｅ）のように、予約時間を選択するための画面をディスプレイする。
【００３２】
次いで、ユーザーが予約時間を１０時間後に設定すると、図９の（ｆ）のように「１．強力コースが選択されました。２．予約時間が１０時間後に設定されました。３．動作ボタンを押して下さい」という案内メッセージをディスプレイする。そして、ユーザーが動作ボタンを入力すると、１０時間後に強力コースで洗濯工程が完了する。
【００３３】
▲１▼浸けおき洗濯実行
前記ディスプレイされる洗濯工程で、図１０の（ａ）のように「▲７▼浸けおき洗濯実行」にカーソルを合わせた後、確認キーを入力すると、図１０の（ｂ）のように、「コースボタンを押して浸けおきコースを選択して下さい」という案内メッセージがディスプレイされ、図１０の（ｃ）のように、コース選択のためのメニューをディスプレイする。
すると、ユーザーは図１０の（ｃ）を参照して浸けおきコースを選択し、ユーザーが浸けおきコースを選択すると、図１０の（ｄ）のように「１．浸けおきコースが選択されました。２．動作ボタンを押して下さい」という案内メッセージをディスプレイする。
次いで、ユーザーが動作ボタンを押すと、図１０の（ｅ）のように布量を感知し、感知された布量だけ給水が行われる。そして、設定された浸けおき時間だけ浸けおき工程を行った後、洗濯工程が進行する。
【００３４】
▲１▼給水濯ぎ実行
前記ディスプレイされる洗濯工程で、図１１の（ａ）のように「▲８▼給水濯ぎ実行」にカーソルを合わせた後、確認キーを入力すると、図１１の（ｂ）のように、「コースボタンを押して希望のコースを選択して下さい」という案内メッセージをディスプレイした後、図１１の（ｃ）のようなコース選択のためのメニューをディスプレイする。
【００３５】
例えば、ユーザーが図１１の（ｃ）を参照して毛布コースを選択すると、図１１の（ｄ）に示すように、「１．毛布コースが選択されました。２．水位ボタンを押して、洗濯量に合う水位を選択して下さい」という案内メッセージをディスプレイする。
例えば、ユーザーが水位を中水位に選択した場合、図１１の（ｅ）のように、「１．毛布コースが選択されました。２．中水位が選択されました。３．濯ぎボタンを押して、給水濯ぎ及び濯ぎ回数を同時に選択して下さい」という案内メッセージをディスプレイし、図１１の（ｆ）のような給水及び濯ぎ回数を選択するためのメニューをディスプレイする。
【００３６】
そして、ユーザーが図１１の（ｆ）を参照して、給水２回及び濯ぎ２回を選択すると、図１１の（ｇ）のように、「１．毛布コースが選択されました。２．中水位が選択されました。３．給水及び濯ぎ２回が選択されました。４．動作ボタンを押して下さい」という案内メッセージをディスプレイする。
次いで、ユーザーが動作ボタンを入力すると、毛布コースで中水位で給水を行った後、洗濯→給水濯ぎ→脱水工程を順次に行う。
【００３７】
【発明の効果】
以上で説明したように、本発明による洗濯機は洗濯案内方法を提供することで、初心者及びユーザーに使用上の便宜を提供する。
また、ユーザーの要求条件に従って設定した洗濯条件が確認可能であって、洗濯工程をより正確に進行させることができる。
【図面の簡単な説明】
【図１】
従来の技術による洗濯機の構成を概略的に示すブロック図。
【図２】
本発明による洗濯機の構成を示すブロック図。
【図３ａ乃至図３ｉ】
本発明による洗濯機の使用案内方法を示すフローチャート。
【図４乃至図１１】
本発明による洗濯機の使用案内方法による実施形態を示す図面。
【符号の説明】
１０…ＰＣ
２０…インタフェース
３０…キー入力部
４０…貯蔵部
５０…システムマイコン
６０…ドライブマイコン
７０…モータ
８０…その他の負荷駆動部
９０…ディスプレイ部（ＬＣＤ）
【図１】
2004503309.tif 000003
【図２】
2004503309.tif 000004
【図３】
2004503309.tif 000005
2004503309.tif 000006
2004503309.tif 000007
2004503309.tif 000008
2004503309.tif 000009
2004503309.tif 000010
2004503309.tif 000011
2004503309.tif 000012
2004503309.tif 000013
【図４】
2004503309.tif 000014
2004503309.tif 000015
2004503309.tif 000016
2004503309.tif 000017
2004503309.tif 000018
2004503309.tif 000019
2004503309.tif 000020
2004503309.tif 000021
2004503309.tif 000022
2004503309.tif 000023
2004503309.tif 000024
2004503309.tif 000025
【国際公開パンフレット】
2004503309.tif 000026
2004503309.tif 000027
2004503309.tif 000028
2004503309.tif 000029
2004503309.tif 000030
2004503309.tif 000031
2004503309.tif 000032
2004503309.tif 000033
2004503309.tif 000034
2004503309.tif 000035
2004503309.tif 000036
2004503309.tif 000037
2004503309.tif 000038
2004503309.tif 000039
2004503309.tif 000040
2004503309.tif 000041
2004503309.tif 000042
2004503309.tif 000043
2004503309.tif 000044
2004503309.tif 000045
2004503309.tif 000046
2004503309.tif 000047
2004503309.tif 000048
2004503309.tif 000049
2004503309.tif 000050
2004503309.tif 000051
2004503309.tif 000052
2004503309.tif 000053
2004503309.tif 000054
2004503309.tif 000055
2004503309.tif 000056
2004503309.tif 000057
2004503309.tif 000058
2004503309.tif 000059
2004503309.tif 000060
2004503309.tif 000061
2004503309.tif 000062
2004503309.tif 000063
2004503309.tif 000064
2004503309.tif 000065
2004503309.tif 000066
2004503309.tif 000067
【国際調査報告】
2004503309.tif 000068
2004503309.tif 000069